(57)【要約】【課題】  外部に排出される高温の排気の温度を低減可能な排気温低減装置を備えた電気機器を提供すること。【解決手段】  本発明の電気機器は、筐体内に第１の熱源と、この第１の熱源よりも発熱の少ない少なくとも１つの第２の熱源と、第１の熱源及び第２の熱源を冷却する冷却ファン110と、当該冷却ファン110が第１の熱源を冷却することにより発生する高温の空気の温度を低減する排気温低減装置114とを筐体内に有し、当該排気温低減装置114を介した排気を外部に排出する排気孔17を備え、排気温低減装置114は、複数枚のフィンを棒状の熱伝導部材に備え、フィン相互の間隔を調整可能としているものである。【選択図】      図４
2007322950.tif 000002
【特許請求の範囲】
【請求項１】
第１の熱源と、
この第１の熱源よりも発熱の少ない少なくとも１つの第２の熱源と、
前記第１の熱源及び第２の熱源を冷却する冷却ファンと、
当該冷却ファンが前記第１の熱源を冷却することにより発生する高温の空気の温度を低減する排気温低減装置と、を筐体内に有し、
当該排気温低減装置を介した排気を外部に排出する排気孔を備え、
前記排気温低減装置は、複数枚のフィンを棒状の熱伝導部材に備え、フィン相互の間隔を調整可能としていることを特徴とする電気機器。
【請求項２】
前記排気温低減装置の各フィン間には、前記熱伝導部材に着脱自在な１つ又は複数のスペーサーが配置されていることを特徴とする請求項１に記載の電気機器。
【請求項３】
前記熱伝導部材の表面にフィンの位置を調整するための螺旋溝が形成されていることを特徴とする請求項１に記載の電気機器。
【請求項４】
前記フィンは、前記熱伝導部材に対する配置間隔を連続的に徐々に広げて配置されていることを特徴とする請求項１乃至請求項３のいずれかに記載の電気機器。
【請求項５】
前記排気温低減装置のフィンは、前記高温部近傍では密に、高温部から離れた位置では疎に配置されていることを特徴とする請求項１乃至請求項４のいずれかに記載の電気機器。
【請求項６】
第１の熱源とする光源装置と、
第２の熱源とする制御部や表示素子等と、
光源側光学系と、
投影画像を投影する投影側光学系等とを筐体内に有し、
前記排気温低減装置を介した排気を外部に排出する排気孔を筐体に備えるプロジェクタであることを特徴とする請求項１乃至請求項５のいずれかに記載の電気機器。
【請求項７】
前記光源装置と、前記排気温低減装置とを収納するための光源室を有するプロジェクタであることを特徴とする請求項６に記載の電気機器。
【請求項８】
前記冷却ファンは前記光源室の外部に設けられ、冷却ファンの空気吐出口は、前記光源室の壁体に接続されていることを特徴とする請求項７に記載の電気機器。
【請求項９】
前記光源室は、前記冷却ファンの空気吐出口以外の場所では筐体内に対して密閉構造とされていることを特徴とする請求項８に記載の電気機器。
【発明の詳細な説明】
【技術分野】
【０００１】
本発明は、排気温低減装置を備えたプロジェクタ等の電気機器に関する。
【背景技術】
【０００２】
今日、様々な電気機器にはその筐体内の温度を低減するため、ファン等の排気装置が取付けられている。このような電気機器として、例えば、パーソナルコンピュータの画面やビデオ画像、更にメモリカード等に記憶されている画像データによる画像等をスクリーンに投影する画像投影装置としてのデータプロジェクタ等がある。
【０００３】
このプロジェクタでは、メタルハイランドランプや超高圧水銀ランプ等の小型高輝度の光源を内蔵し、光源からの光を順次赤色フィルタ、緑色フィルタ、青色フィルタを用いて赤、緑、青の光とし、レンズにより液晶表示素子やＤＭＤと呼ばれるマイクロミラー表示素子に集光させ、この表示素子によりプロジェクタ装置の投影口に向けて透過又は反射させる光の量によりスクリーン状にカラー画像を表示させるものとしている。
【０００４】
このマイクロミラー表示素子は、微小なミラーセルを制御信号により揺動させ、反射光の方向を制御し、照明側光学系により表示素子に入射された光を投影側光学系である投影レンズの方向に反射するオン状態光と光吸収板の方向に反射するオフ状態光とし、赤色光、緑色光、青色光の光をオン状態とする時間を制御してスクリーンにカラー画像を投影するものである。
【０００５】
このようなプロジェクタにおいて、光源であるメタルハイランドランプや超高圧水銀ランプ等は高温になるため、冷却する必要がある。特開２００１−３１２００２号公報（特許文献１）では、熱伝導部材と冷却ファンを用いて、プロジェクタの光学ユニット内で空気を循環させて、光源の温度を冷却する技術について提案されている。しかしながら、このように光学ユニットの内部で空気を循環させる場合、長時間点灯を続けると内部の温度が上がってしまうという問題点があった。
【０００６】
又、外部の空気を取り入れて光源を冷却する技術も多々提案されているが、光源は数百から千度近く迄高温となり、これらの光源を冷却した高温排熱風と外気とを混合するためには、熱源から距離が必要な場合が多く、筐体の厚さを厚くしたり、筐体の大きさを大きくしたりする必要が生じていた。また、高温排熱風は、排気口やその周辺を加熱したり、投影レンズ前方で投影画像に揺らぎを与えたりするという不具合もあった。
【０００７】
このため、プロジェクタ等の電気機器から排出される排気温を低減させるため、電気機器筐体の排気口の内側にヒートシンクなどの熱伝導部材を配置し、高温の排気と低温の排気との排熱を均一化して排気温を低くするものも提案されている。
【特許文献１】特開２００１−３１２００２号公報
【発明の開示】
【発明が解決しようとする課題】
【０００８】
上述のように熱伝導部材を排気口の内側に設けるに際しても、熱伝導部材に接触させる高温の排熱風と熱伝導部材との熱交換を効果的に行うには、排気流路の調整や整流が必要となる場合が多く、電気機器の小型化を行う上で熱源を内蔵する電気機器の空冷を効果的に行うことができないといった問題点があった。
【０００９】
本発明は、このような問題点を解決し、排熱風の状態に合わせた熱交換が可能な排気温低減装置を用いることにより、熱源を内蔵する機器の空冷を効果的に行って機器を小型化すると共に製造を容易にすることを目的とする。
【課題を解決するための手段】
【００１０】
本発明の電気機器は、第１の熱源と、この第１の熱源よりも発熱の少ない少なくとも１つの第２の熱源と、第１の熱源及び第２の熱源を冷却する冷却ファン(110)と、当該冷却ファン(110)が第１の熱源を冷却することにより発生する高温の空気の温度を低減する排気温低減装置(114)とを有し、当該排気温低減装置(114)を介した排気を外部に排出する排気孔(17)を備え、排気温低減装置(114)は、複数枚のフィン(116)を棒状の熱伝導部材(115)に備え、フィン(116)相互の間隔を調整可能としているものである。
【００１１】
そして、排気温低減装置(114)の各フィン(116)間には、熱伝導部材(115)に着脱自在な１つ又は複数のスペーサー(117)が配置されている場合や、熱伝導部材(115)の表面にフィン(116)の位置を調整するための螺旋溝(118)が形成されている場合があるものである。
【００１２】
更に、フィン(116)は、熱伝導部材(115)に対する配置間隔を連続的に徐々に広げて配置されており、又、このフィン(116)は、高温部近傍では密に、高温部から離れた位置では疎に配置されているものである。
【００１３】
又、この電気機器としては、第１の熱源とする光源装置(63)と、第２の熱源とする制御部(38)や表示素子(51)等と、光源側光学系(61)と、投影画像を投影する投影側光学系(62)等を筐体内に備え、排気温低減装置(114)を介した排気を外部に排出する排気孔を筐体に有するプロジェクタ(10)とする場合がある。
【００１４】
そして、光源装置(63)と、排気温低減装置(114)とを収納するための光源室(120)を有する場合もある。更に、冷却ファン(110)は光源室(120)の外部に設けられ、冷却ファン(110)の空気吐出口(113)は、光源室の壁体に接続されることもある。
【００１５】
尚、光源室(120)は、冷却ファン(110)の空気吐出口(113)以外の場所では筐体内に対して密閉構造とされているものである。
【発明の効果】
【００１６】
本発明によれば、排熱風の状態に合わせて効果的に熱交換を行う排気温低減装置を用いることにより、外部に排出する排気の温度を効果的に低減可能な電気機器を提供することができる。
【発明を実施するための最良の形態】
【００１７】
本発明を実施するための最良の形態の電気機器は、筐体内に第１の熱源と、この第１の熱源よりも発熱の少ない第２の熱源と、第１の熱源及び第２の熱源を冷却する冷却ファンと、当該冷却ファンが第１の熱源を冷却することにより発生する高温の空気の温度を低減する排気温低減装置114とを有し、当該排気温低減装置114を介した排気を外部に排出する排気孔17を備え、排気温低減装置114は、複数枚のフィン116を棒状の熱伝導部材115に備え、排気温低減装置114の各フィン116間には、熱伝導部材115に着脱自在な１つ又は複数のスペーサー117が配置されてフィン116相互の間隔を調整可能としているものである。
【００１８】
そして、フィン116、前記熱伝導部材に対する配置間隔を連続的に徐々に広げて配置されており、又、このフィン116は、第１の熱源に近く、高温の排熱風が吹き付けられる高温部近傍では密に、高温部から離れた位置では疎に配置されているものである。
【００１９】
更に、本最良の形態の電気機器は、第１の熱源である光源装置63と、第２の熱源である制御部38や表示素子51等と、光源側光学系61や、投影画像を投影する投影側光学系62等を筐体内に備え、排気温低減装置114を介した排気を外部に排出する排気孔17を筐体に有するプロジェクタ10とするものである。
【００２０】
このプロジェクタ10は、光源装置63と、排気温低減装置114とを収納するための光源室120を有し、冷却ファン110は光源室120の外部に設けられ、冷却ファン110の空気吐出口113は、光源室120の壁体に接続されているものである。又、光源室120は、冷却ファンの空気吐出口113以外の場所では筐体内に対して密閉構造とされているものである。
【００２１】
本最良の形態によれば、外部に排出する排気の温度を低減可能な電気機器を提供することができる。
【実施例】
【００２２】
以下、本発明の実施例を図に基づいて詳説する。本実施例の電気機器は、筐体内に第１の熱源としての光源と、この第１の熱源よりも発熱の少ない第２の熱源とされる電源回路等の電気回路及び素子などを有し、この第１の熱源及び第２の熱源を冷却する冷却ファンを有し、当該冷却ファンが第１の熱源を冷却することにより発生する高温の空気の温度を低減する排気温低減装置と、当該排気温低減装置を介した排気を外部に排出する排気孔とを備え、排気温低減装置は、複数枚のフィンを棒状の熱伝導部材に備え、フィン相互の間隔を調整可能としているものである。
そして、この電気機器としては、データプロジェクタとするものであり、以下、排気温低減装置を内蔵する電気機器としてのプロジェクタを説明する。
【００２３】
本実施例のプロジェクタは、図１に示すように、略直方体形状であって、本体ケースである前面板12の側方に投影口を覆うレンズカバー19を有すると共に、この前面板12には複数の排気孔17を設け、排気孔17には筐体内の光が外部に漏れないようにすると共に排熱風が投影口の前方に流れないようにするためのルーバー20を設けているものである。
【００２４】
又、図１には図示を省略しているも、本体ケースである上面板11にはキー／インジケータ部を設けるものであり、このキー／インジケータ部には、電源スイッチキーや電源のオン又はオフを報知するパワーインジケータ、光源装置のランプを点灯させるランプスイッチキー及びランプの点灯を表示するランプインジケータ、光源装置等が過熱したときに報知をする過熱インジケータ等のキーやインジケータを設けるものである。
【００２５】
更に、図示しない本体ケースの背面には、背面板にＵＳＢ端子や画像信号入力用のＤ−ＳＵＢ端子、Ｓ端子、ＲＣＡ端子等を設ける入出力コネクタ部及び電源アダプタプラグやリモートコントローラからの制御信号を受信するＩｒ受信部等を設けているものである。
【００２６】
尚、図１には図示しない本体ケースの側板である右側板、及び、図１に示した側板である左側板15には、各々複数の吸気孔18を設けているものである。
【００２７】
そして、このプロジェクタ10の制御回路は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００２８】
又、表示エンコーダ24は、送られてきた画像信号をビデオＲＡＭに展開記憶させた上でこのビデオＲＡＭの記憶内容からビデオ信号を生成して表示駆動部26に出力するものである。
【００２９】
そして、表示エンコーダ24からビデオ信号が入力される表示駆動部26は、送られてくる画像信号に対応して適宜フレームレートで空間的光変調素子（ＳＯＭ）である表示素子51を駆動するものであり、光源装置63からの光を光源側光学系を介して表示素子51に入射することにより、表示素子51の反射光で光像を形成し、投影側光学系とする投影系レンズ群を介して図示しないスクリーンに画像を投影表示するものであり、この投影系レンズ群の可動レンズ群97は、レンズモータ45によりズーム調整やフォーカス調整のための駆動が行われるものである。
【００３０】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを１フレーム単位で伸長して画像変換部23を介して表示エンコーダ24に送り、メモリカード32に記憶された画像データに基づいて動画等の表示を可能とするものである。
【００３１】
そして、制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００３２】
又、本体ケースの上面板11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００３３】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００３４】
又、この制御部38は、電源制御回路41を制御するものであり、ランプスイッチキーが操作されると電源制御回路41により光源装置63のランプを点灯させ、更に、冷却ファン駆動制御回路43には光源装置63等に設けた温度センサーによる温度検出を行わせ、冷却ファンの回転速度を制御させるものである。
【００３５】
そして、これらのＲＯＭ、ＲＡＭ、ＩＣや回路素子は、主制御基板としての制御回路基板に取付けるものであり、電力系の電源制御回路41はランプ電源回路ブロックに組み込み、制御系の主制御基板とした制御回路基板と電力系のランプ電源回路ブロックとを分けて形成しているものである。
【００３６】
又、このプロジェクタ10の内部構造は、図３乃至図５に示すように、電源制御回路41を組み込んだランプ電源回路ブロック101を右側板14の近傍に配置し、底面板の略中央にシロッコファンタイプのブロアを冷却ファン110として配置し、ブロアの空気吐出口113近傍に光源室120を配置し、投影側光学系62を左側板15に沿って配置し、ブロアと投影側光学系62との間で光源室120の背面側に光源側光学系61を配置している。
【００３７】
この光源室120は、図６に示すように、壁体である第１隔壁121と、第２隔壁122と、第３隔壁123と、第４隔壁124とによりプロジェクタ内の室内と区画され、前方に前面板12が設けられると共に、図５に示すように上方をハウスカバー125で覆うことにより構成されている。
【００３８】
又、光源室120の内部には光源装置63と、第１反射ミラー72と、カラーホイール71と、ホイールモータ73と、導光ロッド75の一部と、排気温低減装置114とを備え、ブロアの空気吐出口113を壁体である第１隔壁121と第２隔壁122との間に接続してブロアの排気全てが光源室120内に排出されるようにしている。
【００３９】
第１隔壁121は、ランプ電源回路ブロック101等の回路や各種部材と前面板12との間に空間を作るための隔壁であり、ブロアの空気吐出口113から前面板12に向かって右斜め方向に任意の長さ斜設し、この端部から前面板12と平行に右側面14に向かって右側面14近傍まで延設し、最後にこの端部から右側面14と平行に前面板12に接続した略鉤型形状である。尚、第１隔壁121の形状は光源室120の高温な排気を前面板12の全体に分散するためのものである。
【００４０】
又、第２隔壁122は、ブロアの空気吐出口113からの排気風の一部をカラーホイール71及びホイールモータ73に誘導するための隔壁であり、ブロアの空気吐出口113から背面板15に向かって左斜め方向に任意の長さ斜設している。この第２隔壁122には、図示しないが、冷却ファン110としたブロアの空気吐出口113からの排出空気が直接カラーホイール71に当たるように通気孔やスリットが形成されている。
【００４１】
更に、第３隔壁123は、光源側光学系61と光源装置63とを区切るための隔壁であり、第２隔壁122の端部から導光ロッド75を貫通させて投影側光学系62の近傍まで延設している。
そして、第４隔壁124は、投影側光学系62と光源装置63とを隔てるための壁体であり、第３隔壁123の端部から左側面15と平行に延設し、前面板12と接続している。
【００４２】
尚、第１隔壁121と、第２隔壁122と、第３隔壁123と、第４隔壁124、及び、ハウスカバー125は断熱性を有する板材を用いている。これにより光源室120内の熱が外部に漏れるのを防ぐことができる。
【００４３】
又、排気温低減装置114は、熱伝導性部材であり、本実施例では内壁に毛細管構造を持ち内部が真空の金属パイプに純水、パーフルオロカーボン等の作動液が密封されている熱伝導部材115としてのヒートパイプと、複数枚のフィン116を用いており、前面板12と平行に前面板12の近傍に配置している。
【００４４】
この排気温低減装置114は、板状体であるフィン116を複数枚平行に配置して、このフィン116の略中心を長い棒状の熱伝導部材115が貫通して複数枚のフィン116を接続した形状である。つまり、熱伝導部材114は板状で複数枚からなるフィン116の板面に共通して接触している
【００４５】
このようにフィン116を熱伝導部材115に取付けることにより、フィン116で吸収した熱を熱伝導部材115に逃すことができ、排気温低減装置114の全体で均一の温度に保つことができる。尚、熱伝導部材115とフィン116は別成型としており、熱伝導部材115としてヒートパイプを用いているが、これに限るものではない。
【００４６】
又、本実施例の排気温低減装置114では、光源の傍に位置して高温の排熱風が流れる高温部及びその近傍と当該高温部から離れた位置とで流体抵抗に差を設けている。具体的には図６、図７に示すように、高温となる光源装置63の近傍ではフィン116の配置間隔を密にして空気の流出を低く抑え、逆に光源装置63から離れるに従って徐々にフィン116の配置間隔を広くしていくことにより空気の流出を徐々に高くしている。
【００４７】
このような構成とすることにより、配置間隔が密になっている高温部では、空気を外部に排気しにくくなるため排気の風速が遅くなり、これによりフィン116で十分に吸熱でき、熱伝導部材115の吸熱効率が高くなる。一方、配置間隔を広くしている高温部から離れた位置では排気の風速が速くなるため、外部に排気しやすくなる。
【００４８】
このため高温部の排気に含まれる熱が熱伝導部材に吸熱され、高温部から離れた位置で排気風に放熱され、排気風全体に熱を分散して均一化することにより、投影口側に高温の排気が大量に排出されることを防止できると共に、フィン116の配置間隔を光源装置63から離れるに従って徐々に広くしているため、光源装置63近傍から光源装置63と離れた位置に向かって空気が流れるようになり、排気温低減装置114の全体を効率よく利用して排気温を低く抑えることができる。
【００４９】
又、排気温低減装置114の各フィン116間には、熱伝導部材115に着脱自在な１つ又は複数の同一幅のスペーサー117を配置している。このスペーサー117はドーナツ状の薄板であり、熱伝導部材115に中心の開口部を貫通させることによって着脱自在となっている。
【００５０】
そして、フィン116の配置間隔を密にする場合にはフィン116間のスペーサー117の枚数を減らし、逆に配置間隔を疎にする場合にはフィン116間のスペーサー117の枚数を増やすこと、つまり、図６においては、光源装置63近傍に位置するフィン116間には一枚のスペーサー117を用いてフィン116の配置間隔を密にし、光源装置63から離れるに従ってスペーサー117の枚数を徐々に増やしてフィン116の配置間隔を徐々に広げているものである。
【００５１】
このようにスペーサー117を用いることにより、容易にフィン116間の幅を調整することができ、同一の排気温低減装置114で、様々な形状の光源室120に対応できる。
即ち図６に示した実施例では、光源装置63が光源室120の端に設置しているも、中央に光源装置63を配置する場合には、光源装置63近傍に位置する光源室120の中央近傍のフィン116の配置間隔を密にし、光源室120の両端部では各々フィン116の配置間隔を広くするといった調整が容易にできるものである。
【００５２】
そして、このプロジェクタ10の光学系は、図４乃至図６に示すように、防爆ガラス68で前面を覆ったリフレクタ65の内部に超高圧水銀ランプを放電ランプ64として設けた光源装置63と、この光源装置63から射出された光を表示素子51とするＤＭＤ（デジタル・マイクロミラー・デバイス）に照射する光源側光学系61と、表示素子51と、表示素子51で反射されて画像を形成する光をスクリーンに放出する投影側光学系62のレンズ群で構成するものである。
【００５３】
又、光源側光学系61は、光源装置63から射出された光をカラーホイール71に反射する第１反射ミラー72と、赤色光、緑色光、青色光とするカラーフィルタを周囲に設けてホイールモータ73により回転されるカラーホイール71と、カラーホイール71のフィルタを透過した光を均一な強度分布の光束とする導光ロッド75と、導光ロッド75から射出された光の向きを９０度変更する第２反射ミラー74と、この第２反射ミラー74により反射した光を表示素子51に集光させる複数枚のレンズで形成した光源側レンズ群83及び光源側レンズ群83を透過した光を表示素子51に所定の角度で照射する照射ミラー85等で形成している。
【００５４】
尚、本実施例では第２反射ミラー74を用いているが、導光ロッド75からの光の向きを変えることをできればよいため、導光ロッド75とプリズムを組み合わせて用いることでも同様の効果を得ることができる。
【００５５】
更に、本実施例では、導光ロッド75の一部とカラーホイール71などを光源室120内に配置しているも、カラーホイール71や導光ロッド75などを光源室120の外部に配置するようにして光源室120を形成することもある。
【００５６】
そして、投影側光学系62としては、図５に示すように、固定鏡筒91に内蔵する固定レンズ群93と可動鏡筒95に内蔵する可動レンズ群97として、ズーム機能を備えた可変焦点型レンズとしているものであり、レンズモータにより可動レンズ群97を移動させてズーム調整やフォーカス調整を可能としているものである。
【００５７】
又、背面板13には、表示素子51の後方部分に吸気孔18を設け、背面板13と表示素子取付け板55とにより空気の流通路を形成して背面板13に設けた吸気孔18及び左側板15の後方に設けた吸気孔18から吸い込まれる外気を背面板13に沿ってブロア方向に流すようにしている。
【００５８】
そして、表示素子取付け板55の後方には表示素子放熱板53を配置するものであり、制御回路基板103は２枚の制御基板としてこの２枚の制御回路基板103の間や２枚の制御回路基板103の上方又は下方において、制御回路基板103に沿って流れる空気がブロアの吸込み口111に吸い込まれるようにしている。
【００５９】
従って、このブロアを回転させると、冷却ファン110としたブロアはブロアの周辺の空気を吸い込み、プロジェクタ10内部のブロア周辺の空気を吸い込むことによりプロジェクタ10の本体ケースに設けた多数の吸気孔18からプロジェクタ10の内部に外気を吸い込むものである。
【００６０】
そして、左側板15における後方の吸気孔18や背面板13に設けた吸気孔18から吸い込まれる外気の一部は、表示素子放熱板53を冷却するように背面板13と表示素子取付け板55との間の空気流通路を流れ、制御回路基板103に沿って制御回路基板103の上面や下面及び制御回路基板103の相互間の空間を通ってブロアの吸込み口111に吸い込まれる。
【００６１】
又、左側板15の吸気孔18から吸気されたその他の外気は、投影側光学系62や光源側光学系の光源側レンズ群83及び第２反射ミラー74、導光ロッド75の露出部等を冷却し、ブロアの吸込み口111に吸い込まれる。
【００６２】
そして、右側板14の吸気孔18からプロジェクタ10の内部に吸い込まれる外気は、一部はランプ電源回路ブロック101の周囲を通るようにして制御回路基板103に至り、制御回路基板103に沿って流れるようにしてブロアの吸込み口111に吸い込まれる。又、残りの吸い込まれた外気は第１隔壁121に沿って流れブロアの吸込み口111に吸い込まれる。
このようにして、光源装置63よりも発熱の少ない種々の第２の熱源を冷却することができる。
【００６３】
更に、光源室120に吹き込まれるブロアの排気流は、一部が第２隔壁122の通気孔よりカラーホイール71に沿って流れ、大部分は光源装置63の周囲を、又、図５及び図６に示すように、光源装置63の周囲を流れる空気の一部はリフレクタ65に設けられた開口部からリフレクタ65の内部を通るように流れ、光源装置63やカラーホイール71を冷却する。
【００６４】
そして、光源装置63やカラーホイール71を冷却した後の光源室120内の高温の空気は、第１隔壁121に誘導され熱伝導部材115とフィン116からなる排気温低減装置114に流れ込む。ここで光源装置63を冷却した直後の高温の空気と、光源装置63を冷却した後に光源装置63から離れる間に周囲に放熱して温度が下がった空気、或いは、光源装置63を回避して流れた比較的低温の空気とが、ヒートパイプ115と冷却フィン116からなる排気温低減装置114の両端にそれぞれ当たることにより、排気される空気全体の温度が低減均一化され、前面板12の排気孔17より外部に放出される。このとき第４隔壁124があるため、投影側光学系62に高温の空気が流れ込むことはない。
【００６５】
このように、光源装置63を冷却した後の高温の空気は、リフレクタ65の内部を通過した空気や光源装置63に当たるように光源装置63の直近を通過した空気、又は光源装置63から離れた位置を通過した空気などにより温度差が生じ、排気温低減装置114としたヒートパイプ115とフィン116により排気される空気全体の温度が均一化されるので、光源装置63を排気孔17が形成され前面板12の近くに配置しても、局部的に高温となった空気をプロジェクタ10の外部に排出することを防止できる。
【００６６】
又、前面板12の排気孔17に設けられたルーバー20が高温になることを防ぐことができ、フィン116が熱伝導部材115に垂直に真っ直ぐ成型されていることにより、光源装置63からの空気の排気抵抗を少なくして、効率的に光源室120内の排気を行ない、光源装置63を効率的に冷却することができる。
【００６７】
更に、この光源室120は、投影口を除く前面板12の全幅に近い幅で前方を開口して前面板12で覆い、前面板12に設けた排気孔17からプロジェクタ10の外部に排気しているため、ブロアから勢い良く空気を吐き出していても、広範囲に設けた排気孔17から緩やかに排気することができ、多量の冷却風で光源装置63を冷却しつつ全体的に均一化して温度を低下させた排気風として緩やかにプロジェクタ10の前方から排出することができる。尚、冷却ファン110はシロッコファンタイプのブロアに限るものではない。
【００６８】
更に、光源装置63の近傍に位置し、高温の空気が流れる高温部の排気孔17から排出される排気量を低減し、光源装置63から離れた場所に位置し、高温部から離れた位置の排気孔17から排出される排気量を増やすことにより、排気温低減装置114を効率よく利用して排気温低減装置114の全体の温度を均一化でき、これにより、高温の排気と低温の排気を混合して低温になった排気を外部に放出することができる。
【００６９】
そして、スペーサー117を用いることでフィン116の配置間隔を自由に調整できるため、同一の排気温低減装置114を用いて様々な光源装置63の配置場所に対応することができ、又、フィン116間に配置するスペーサー117の枚数を増減させるだけで調整できるため、排気温低減装置114の調整も容易となる。
【００７０】
更に、排気温低減装置114の調整が容易であるため、小型化するプロジェクタの設計製造の過程において、光源装置63等の高温となる機器の配置場所について検討する必要が少なく、容易に設計製造変更が可能である。
【００７１】
次に、フィン116の配置間隔を容易に調整可能な排気温低減装置114の他の構造例とした他の実施例を説明する。この実施例は、図８、図９に示すように、排気温低減装置114の熱伝導部材115の表面に螺旋溝118を形成しているものである。
【００７２】
このように螺旋溝118を熱伝導部材115に設けることにより、螺旋溝118に沿ってフィン116を回転させることで自由にフィン116の配置間隔を調整することができ、フィン116を密に配置することも、フィン116間を広く配置することもフィン116を螺子溝118に沿って回転させるのみで容易に調整できる。
そして、このような構成とすることにより、前実施例と同様に、同一の排気温低減装置114を用いて様々な状況に対応できるものである。
【００７３】
尚、本発明は、以上の実施例に限定されるものでなく、発明の要旨を逸脱しない範囲で自由に変更、改良が可能である。又、本実施例ではプロジェクタに特化して述べたが、プロジェクタに限らずリアプロジェクションＴＶや、パーソナルコンピュータ等の排気温低減装置として用いることも当然可能である。
【図面の簡単な説明】
【００７４】
【図１】本発明の実施例に係るプロジェクタの外観を示す図。
【図２】本発明の実施例に係るプロジェクタの制御ブロック図。
【図３】本発明の実施例に係るプロジェクタの上面板を取り除いた斜視図。
【図４】本発明の実施例に係るプロジェクタの上面板とハウスカバーを取り除いた斜視図。
【図５】本発明の実施例に係るプロジェクタの空気の流れを示す斜視図。
【図６】本発明の実施例に係るプロジェクタの光源室を示す図。
【図７】本発明の実施例に係る排気温低減装置の部分拡大図。
【図８】本発明の実施例に係るプロジェクタの光源室の他の例を示す図。
【図９】本発明の実施例に係る排気温低減装置の他の例の部分拡大図。
【符号の説明】
【００７５】
10  プロジェクタ                      11  上面板
12  前面板                            15  左側板
17  排気孔                            18  吸気孔
19  レンズカバー                      20  ルーバー
21  入出力コネクタ部                  22  入出力インターフェース
23  画像変換部                        24  表示エンコーダ
26  表示駆動部                        31  画像圧縮伸長部
32  メモリカード                      35  Ｉｒ受信部
36  Ｉｒ処理部                        37  キー／インジケータ部
38  制御部                            41  電源制御回路
43  冷却ファン駆動制御回路            45  レンズモータ
47  音声処理部                        48  スピーカ
51  表示素子                          53  表示素子放熱板
55  表示素子取付け板                  61  光源側光学系
62  投影側光学系                      63  光源装置
70  ミラー固定具                      71  カラーホイール
73  ホイールモータ                    74  第２反射ミラー
75  導光ロッド                        83  光源側レンズ群
85  照射ミラー                        91  固定鏡筒
93  固定レンズ群                      95  可動鏡筒
97  可動レンズ群                      103  制御回路基板
101  ランプ電源回路ブロック           110  冷却ファン
111  吸い込み口                       113  空気吐出口
114  排気温低減装置                   115  熱伝導部材
116  フィン                           117  スペーサー
118  螺旋溝                           120  光源室
121  第１隔壁                         122  第２隔壁
123  第３隔壁                         124  第４隔壁
125  ハウスカバー
【図１】
2007322950.tif 000003
【図２】
2007322950.tif 000004
【図３】
2007322950.tif 000005
【図４】
2007322950.tif 000006
【図５】
2007322950.tif 000007
【図６】
2007322950.tif 000008
【図７】
2007322950.tif 000009
【図８】
2007322950.tif 000010
【図９】
2007322950.tif 000011